(57)【特許請求の範囲】
【請求項１】
画像を表示する表示部と、
入力されるＲＡＷ画像データに対して前記表示部の解像度に応じた解像度変換及び複数の異なる現像条件を用いた現像処理を施すことで複数のプレビュー画像データを生成する画像処理部と、
を備え、
前記複数の異なる現像条件は、予め優先順位が設定されており、
前記画像処理部は、前記優先順位の高い現像条件から前記優先順位の低い現像条件の順となるように前記複数のプレビュー画像データを生成する
ことを特徴とする画像処理装置。
【請求項２】
請求項１に記載の画像処理装置において、
前記現像条件を設定する設定部と、
前記画像処理部により作成された複数のプレビュー画像データから、前記設定部により設定された現像条件と同一の現像条件となるプレビュー画像データを抽出する抽出部と、
前記抽出部により抽出されたプレビュー画像データを用いた、プレビュー画像を前記表示部に表示させる表示制御部とをさらに備える
ことを特徴とする画像処理装置。
【請求項３】
請求項２に記載の画像処理装置において、
前記設定部は、ホワイトバランス処理時に用いるパラメータ及び明るさ調整時に用いるパラメータの少なくともいずれか一方を前記現像条件の第１条件として変更することで、前記現像条件を設定可能である
ことを特徴とする画像処理装置。
【請求項４】
請求項３に記載の画像処理装置において、
前記設定部は、彩度調整時に用いるパラメータ、コントラスト調整時に用いるパラメータ、或いは輪郭強調時に用いるパラメータの少なくとも１つのパラメータを、前記現像条件の第２条件として設定することが可能であり、
前記表示制御部は、前記第１条件に基づいて現像処理されたプレビュー画像の表示の際に、前記第２条件に基づいて前記表示部を制御する
ことを特徴とする画像処理装置。
【請求項５】
請求項１から請求項４のいずれか１項に記載の画像処理装置において、
複数のＲＡＷ画像データから、前記プレビュー画像データを生成する対象となるＲＡＷ画像データを選択する選択部をさらに備え、
前記画像処理部は、前記選択部により選択されたＲＡＷ画像データに対して複数の現像条件を用いた現像処理を実行する
ことを特徴とする画像処理装置。
【請求項６】
請求項１から請求項５のいずれか１項に記載の画像処理装置と、
前記ＲＡＷ画像データを取得する撮像部と
を備えることを特徴とする撮像装置。
【請求項７】
画像を表示する表示工程と、
入力されるＲＡＷ画像データに対して前記表示工程の解像度に応じた解像度変換及び複数の異なる現像条件を用いた現像処理を施すことで複数のプレビュー画像データを生成する画像処理工程と、
を、コンピュータに実行させ、
前記複数の異なる現像条件は、予め優先順位が設定されており、
前記画像処理工程は、前記優先順位の高い現像条件から前記優先順位の低い現像条件の順となるように前記複数のプレビュー画像データを生成する
ことを特徴とする画像処理プログラム。
【請求項８】
画像を表示する表示部と、
入力されるＲＡＷ画像データに対して前記表示部の解像度に応じた解像度変換を行った後、前記解像度変換を行ったＲＡＷ画像データに対する現像処理を複数の異なる現像条件を用いて連続して施すことで複数のプレビュー画像データを生成する画像処理部と、
前記複数のプレビュー画像データのいずれか１つのプレビュー画像データに基づくプレビュー画像が前記表示部に表示されたときに、前記ＲＡＷ画像データに対する現像条件を設定する設定部と、
前記複数のプレビュー画像データから、前記設定部により設定された現像条件にて現像処理が施されたプレビュー画像データを抽出する抽出部と、
前記表示部に表示されるプレビュー画像を、前記抽出部が抽出したプレビュー画像データに基づいたプレビュー画像に切り替える表示制御部と、
を備えたことを特徴とする画像処理装置。
【発明の詳細な説明】
【技術分野】
【０００１】
本発明は、画像処理装置、撮像装置及び画像処理プログラムに関する。
【背景技術】
【０００２】
デジタルカメラを用いた撮影の際に取得される画像データは、例えば画像処理の後、Ｊｐｅｇ形式などの所定の圧縮形式にて圧縮符号化され、記憶媒体などに書き込まれることが一般的である。近年提供されるデジタルカメラにおいては、上述した画像データの他に、上述した画像処理や圧縮符号化を施さない画像データ、所謂ＲＡＷ画像データを記憶媒体に書き込むことも可能である。
【０００３】
このようなＲＡＷ画像データにおいては、ＰＣにインストールされた現像ソフトを用いて現像処理される（例えば、特許文献１など）。なお、撮影条件に基づいて現像処理が施されることが好ましいが、撮影条件に基づいた現像処理を施した場合には、例えば色かぶりなどが生じてしまうことがある。そのため、ユーザは、設定された現像条件に合わせた画像処理が施されたプレビュー画像を確認しながら現像条件を調整して、最適となる現像条件での現像処理をＲＡＷ画像データに施している。
【先行技術文献】
【特許文献】
【０００４】
【特許文献１】特開２００８−２８３２９１号公報
【発明の概要】
【発明が解決しようとする課題】
【０００５】
ところが、プレビュー画像を確認しながら現像条件を調整し、最適な現像条件での現像処理をＲＡＷデータに施す場合、調整される度にプレビュー画像を生成する必要がある。そのため、調整された現像条件に基づく画像処理を施したプレビュー画像が生成されるまでに時間がかかり、プレビュー画像の確認までに時間を要してしまう。この結果、現像処理自体に係る所要時間が長くなるという欠点がある。
【０００６】
そこで、本発明の画像処理装置、撮像装置及びプログラムは、ＲＡＷ画像データの現像パラメータを調整する際に、素早く調整効果を確認することを目的とする。
【課題を解決するための手段】
【０００７】
本発明の画像処理装置は、画像を表示する表示部と、入力されるＲＡＷ画像データに対して前記表示部の解像度に応じた解像度変換及び複数の異なる現像条件を用いた現像処理を施すことで複数のプレビュー画像データを生成する画像処理部と、を備え、前記複数の異なる現像条件は、予め優先順位が設定されており、前記画像処理部は、前記優先順位の高い現像条件から前記優先順位の低い現像条件の順となるように前記複数のプレビュー画像データを生成することを特徴とする。
【０００８】
なお、前記現像条件を設定する設定部と、前記画像処理部により作成された複数のプレビュー画像データから、前記設定部により設定された現像条件と同一の現像条件となるプレビュー画像データを抽出する抽出部と、前記抽出部により抽出されたプレビュー画像データを用いた、プレビュー画像を前記表示部に表示させる表示制御部とをさらに備えても良い。
【０００９】
また、前記設定部は、ホワイトバランス処理時に用いるパラメータ及び明るさ調整時に用いるパラメータの少なくともいずれか一方を前記現像条件の第１条件として変更することで、前記現像条件を設定可能であることが好ましい。
【００１０】
また、前記設定部は、彩度調整時に用いるパラメータ、コントラスト調整時に用いるパラメータ、或いは輪郭強調時に用いるパラメータの少なくとも１つのパラメータを、前記現像条件の第２条件として設定することが可能であり、前記表示制御部は、前記第１条件に基づいて現像処理されたプレビュー画像の表示の際に、前記第２条件に基づいて前記表示部を制御しても良い。
【００１１】
また、複数のＲＡＷ画像データから、前記プレビュー画像データを生成する対象となるＲＡＷ画像データを選択する選択部をさらに備え、前記画像処理部は、前記選択部により選択されたＲＡＷ画像データに対して複数の現像条件を用いた現像処理を実行しても良い。
【００１２】
本発明の撮像装置は、上記の画像処理装置と、前記ＲＡＷ画像データを取得する撮像部とを備えることを特徴とする。
【００１３】
本発明の画像処理プログラムは、画像を表示する表示工程と、入力されるＲＡＷ画像データに対して前記表示工程の解像度に応じた解像度変換及び複数の異なる現像条件を用いた現像処理を施すことで複数のプレビュー画像データを生成する画像処理工程と、を備え、前記複数の異なる現像条件は、予め優先順位が設定されており、前記画像処理工程は、前記優先順位の高い現像条件から前記優先順位の低い現像条件の順となるように前記複数のプレビュー画像データを生成することを特徴とする。
【００１４】
本発明の画像処理装置は、画像を表示する表示部と、入力されるＲＡＷ画像データに対して前記表示部の解像度に応じた解像度変換を行った後、前記解像度変換を行ったＲＡＷ画像データに対する現像処理を複数の異なる現像条件を用いて連続して施すことで複数のプレビュー画像データを生成する画像処理部と、前記複数のプレビュー画像データのいずれか１つのプレビュー画像データに基づくプレビュー画像が前記表示部に表示されたときに、前記ＲＡＷ画像データに対する現像条件を設定する設定部と、前記複数のプレビュー画像データから、前記設定部により設定された現像条件にて現像処理が施されたプレビュー画像データを抽出する抽出部と、前記表示部に表示されるプレビュー画像を、前記抽出部が抽出したプレビュー画像データに基づいたプレビュー画像に切り替える表示制御部と、を備えたことを特徴とする。
【発明の効果】
【００１５】
本発明の画像処理装置、撮像装置及びプログラムによれば、ＲＡＷ画像データの現像パラメータを調整する際に、素早く調整効果を確認することができる。
【図面の簡単な説明】
【００１６】
【図１】本発明の実施形態における撮像装置１の構成を示すブロック図である。
【図２】ＲＡＷ画像データからプレビュー画像を生成するまでの流れを示す図である。
【図３】ＳＴＡＧＥ１のパラメータ入力画面の例である。
【図４】ＳＴＡＧＥ２のパラメータ入力画面の例である。
【図５】撮像装置１におけるＲＡＷ画像データ現像時の動作を示すフローチャートである。
【図６】プレビュー画像を生成する順番を示す表である。
【発明を実施するための形態】
【００１７】
以下、図面を用いて本発明の実施形態について説明する。なお、本実施形態では、本発明の画像処理装置の一例として、撮像装置を用いて説明する。図１は、本発明の実施形態における撮像装置１の構成を示すブロック図である。
【００１８】
図１に示すように、撮像装置１は、撮像レンズ２、撮像素子３、Ａ／Ｄ変換部４、バッファメモリ５、画像処理部６、制御部７、モニタコントローラ８、モニタ９、操作部１０、メモリ１１、記録Ｉ／Ｆ部１２、記録媒体１３、バス１４を備える。
【００１９】
撮像レンズ２は、撮像素子３の撮像面に被写体像を結像する。なお、撮像レンズ２は、ズームレンズやフォーカスレンズ等の複数のレンズからなる撮像光学系であっても良い。撮像素子３は、撮像レンズ２を通過した被写体光を光電変換し、Ｒ、Ｇ、Ｂの各色に対応するアナログ画像信号を出力する。
【００２０】
撮像素子３から出力される画像信号は、Ａ／Ｄ変換部４に入力される。Ａ／Ｄ変換部４は、撮像素子３から出力されるアナログの画像信号をＡ／Ｄ変換し、デジタルの画像信号に変更する。なお、このデジタルの画像信号は、１コマにまとめられ、画像データとしてバッファメモリ５に記録される。以下、Ａ／Ｄ変換され、１コマにまとめられた画像データをＲＡＷ画像データと称する。バッファメモリ５は、画像処理部６による画像処理の前工程や後工程で画像データを一時的に記録する。
【００２１】
画像処理部６は、バッファメモリ５に記録された画像データに対して画像処理を施す。なお、この画像処理としては、周知のホワイトバランス調整、明るさ調整、色補間、階調変換処理、輪郭強調処理等が挙げられる。また、画像処理部６は、ＪＰＥＧ（Joint Photographic Experts Group）形式等で圧縮する処理や、圧縮された上記のデータを伸長復元する処理をも実行する。また、画像処理部６は、後述する記録媒体１３に記録されたＲＡＷ画像データに現像処理を施す。この現像処理は、解像度変換処理、画像処理及び圧縮処理を含む処理である。これにより、ＪＰＥＧ形式の画像データが生成される。
【００２２】
また、画像処理部６は、ＲＡＷ画像データを記録媒体１３に記録する際に、ＲＡＷ画像データ識別用のサムネイル画像データを生成する。例えば、画像処理部６は、撮像条件などに基づいて、ＲＡＷ画像データに解像度変換処理、画像処理及び圧縮処理を施し、サムネイル画像データを生成する。
【００２３】
また、画像処理部６は、現像時に、参照用のプレビュー画像を生成する。図２は、ＲＡＷ画像データからプレビュー画像を生成するまでの流れを示す図である。まず、画像処理部６は、ＲＡＷ画像データＲに基づいて、ＲＡＷ画像データＲの解像度よりも低い解像度のＲＡＷ画像データＲ’を生成する。次に、画像処理部６は、ＲＡＷ画像データＲ’に基づいて、ホワイトバランス７種類、明るさ７段階をそれぞれ組み合わせ、４９個のプレビュー画像Ｐ１〜Ｐ４９を生成する。なお、ホワイトバランスの種類は、オート、プリセット、晴天、電球、蛍光灯、曇天、ストロボである。それぞれの光源の種類又は色温度に応じたホワイトバランス補正値が予め設定されている。また、明るさの度合いは、０を標準設定される明るさとして−３、−２、−１、０、＋１、＋２、＋３で示され、数値が大きいほどプレビュー画像は明るくなる。なお、プレビュー画像Ｐ１〜Ｐ４９は、バッファメモリ５に記録される。
【００２４】
制御部７は、所定のシーケンスプログラムにしたがって、撮像装置１の統括的な制御を行うとともに、撮像時に必要となる各種演算（ＡＦ、ＡＥ等）を実行する。モニタコントローラ８は、モニタ９を制御する。モニタ９に表示される各種の画像は、撮像により生成した画像、記録媒体１３に記録された画像、後述するパラメータ入力画面、メニュー画面等を含む。また、モニタコントローラ８は、上記の画像に、メニュー画面、カーソルなどを重畳表示する。また、モニタコントローラ８は、モニタ９上の画像の表示を調整し、彩度、コントラスト、輪郭強調の度合いを擬似的に変化させる。
【００２５】
ところで、ＲＡＷ画像データに対する現像処理は、ＳＴＡＧＥ１とＳＴＡＧＥ２との２段階に分けて行われる。ＳＴＡＧＥ１では、ホワイトバランス調整及び明るさ調整など、表示変化が大きい処理が実行される。ＳＴＡＧＥ２では、彩度、コントラスト、輪郭強調の度合いの調整など、ＳＴＡＧＥ１と比較して表示変化が小さい処理が実行される。
【００２６】
図３は、ＳＴＡＧＥ１のパラメータ入力画面の図である。図３に示すように、ＳＴＡＧＥ１のパラメータ入力画面は、プレビュー画像Ｐ１〜Ｐ４９に対応するホワイトバランスの種類、明るさの度合いが選択できるようになっている。例えば、モニタ９は、プレビュー画像（図３では、プレビュー画像Ｐ４）、ホワイトバランスの種類を示すバー２１、明るさの度合いを示すバー２２を表示する。バー２１に示されるホワイトバランスの種類は、上から、オート、プリセット、晴天、電球、蛍光灯、曇天、ストロボである（図３では、それぞれ２１ａ〜２１ｇ）。プレビュー画像Ｐ４のホワイトバランスの種類が太枠２３で囲まれている。また、バー２２に表示される明るさの度合いは、左から、−３、−２、−１、０、＋１、＋２、＋３である。プレビュー画像Ｐ４の明るさの度合いがカーソル２４で示されている。ホワイトバランスの種類は、十字キー１６の上下の釦を操作することにより、選択可能である。また、明るさの度合いは、十字キー１６の左右の釦を操作することにより、選択可能である。すなわち、ユーザは、十字キー１６を操作するだけで、簡単にホワイトバランス又は明るさを調整することができる。十字キー１６については、後述する。
【００２７】
図４は、ＳＴＡＧＥ２のパラメータ入力画面の図である。図４に示すように、モニタ９は、プレビュー画像（図４では、プレビュー画像Ｐ１１）、彩度の度合いを示すバー３１、コントラストの度合いを示すバー３２、輪郭強調の度合いを示すバー３３を表示する。バー３１に表示される彩度の度合い、及びバー３２に示されるコントラストの度合いは、左から、オート、−２、−１、０、＋１、＋２である。また、バー３３に示される輪郭強調の度合いは、左から、０、１、２、３、４、５である。なお、数値が大きくなるほど、彩度、コントラスト、輪郭強調の度合いは強くなる。また、プレビュー画像Ｐ１１の彩度、コントラスト、輪郭強調の度合いがカーソル３４、カーソル３５、カーソル３６で示されている。また、彩度、コントラスト、輪郭強調のいずれかの項目は、十字キー１６の上下の釦を操作することにより、選択可能である。また、それぞれの項目に対する度合いは、十字キー１６の左右の釦を操作することにより、選択可能である。
【００２８】
操作部１０は、レリーズ釦１５、十字キー１６等を有する。レリーズ釦１５は、撮像時にユーザにより操作される。十字キー１６は、上記のパラメータ入力画面等で操作される。なお、レリーズ釦１５及び十字キー１６の状態は制御部７により検知され、検知された釦やキーの状態に基づいたシーケンスが実行される。メモリ１１は、ファームウェアなどを記録している。記録Ｉ／Ｆ部１２は、記録媒体１３を接続するためのコネクタを備えている。この記録Ｉ／Ｆ部１２と記録媒体１３とが接続されることにより、記録媒体１３に対してデータの書き込み／読み出しを実行する。バス１４は、バッファメモリ５、画像処理部６、制御部７、モニタコントローラ８、記録Ｉ／Ｆ部１２を相互に接続することにより、データや信号の出入力を実行する。
【００２９】
図５は、撮像装置１におけるＲＡＷ画像データ現像時の動作を示すフローチャートである。
【００３０】
ステップＳ１０１は、現像の対象となる画像を選択する処理である。制御部７は、記録媒体１３から画像ファイルを読み出す。モニタ９は、サムネイル画像の一覧を表示する。そして、制御部７は、十字キー１６を介して、いずれかのサムネイル画像の選択を受け付ける。以下、ＲＡＷ画像データＲに対応するサムネイル画像が選択された例を示す。
【００３１】
ステップＳ１０２は、プレビュー画像を生成する処理である。画像処理部６は、プレビュー画像Ｐ１〜Ｐ４９を生成する。なお、モニタ９は、砂時計の絵などとともに、「お待ち下さい」等のメッセージを表示しても良い。
【００３２】
ステップＳ１０３は、ＳＴＡＧＥ１に移行する処理である。モニタ９は、ＳＴＡＧＥ１のパラメータ入力画面を表示する。なお、モニタ９は、最初に、ホワイトバランスがオート、明るさの度合いが０であるプレビュー画像Ｐ４を表示する。
【００３３】
ステップＳ１０４は、ホワイトバランスの種類と、明るさの度合いとのうち、少なくともいずれか一方の変更を受け付けたか否かを判定する処理である。変更を受け付けた場合（ステップＳ１０４の判定がＹＥＳとなる場合）には、ステップＳ１０５に進む。一方、変更を受け付けていない場合（ステップＳ１０４の判定がＮＯとなる場合）には、後述するステップＳ１０６に進む。
【００３４】
ステップＳ１０５は、該当するプレビュー画像を表示する処理である。制御部７は、ステップＳ１０４で受け付けた変更後のホワイトバランスの種類、及び明るさの度合いに該当するプレビュー画像をバッファメモリ５から読み出す。そして、モニタ９は、読み出されたプレビュー画像を表示する。すなわち、ホワイトバランス又は明るさを調整する場合は、プレビュー画像の表示を切り換える。
【００３５】
ステップＳ１０６は、ホワイトバランスの種類及び明るさの度合いを決定する指示を受け付けたか否かを判定する処理である。決定する指示を受け付けた場合（ステップＳ１０６の判定がＹＥＳとなる場合）には、ホワイトバランスの種類及び明るさの度合いを現像パラメータとして設定し、ステップＳ１０７に進む。一方、決定する指示を受け付けていない場合（ステップＳ１０６の判定がＮＯとなる場合）には、ステップＳ１０４に戻る。
【００３６】
これにより、モニタ９上での表示変化が大きいホワイトバランス及び明るさを変更したプレビュー画像のみを生成すれば良いので、全ての現像パラメータを組み合わせたプレビュー画像を生成する必要がない。そのため、プレビュー画像生成時間を節約し、ユーザの待ち時間を短縮することができる。また、ＲＡＷ画像データＲ’からプレビュー画像Ｐ１〜Ｐ４９を生成することにより、ＲＡＷ画像データＲからプレビュー画像Ｐ１〜Ｐ４９を生成する場合と比較して、さらに処理時間を短縮することができる。
【００３７】
ステップＳ１０７は、ＳＴＡＧＥ２に移行する処理である。モニタ９は、ＳＴＡＧＥ２のパラメータ入力画面を表示する。なお、モニタ９は、最初に、ＳＴＡＧＥ１で決定されたホワイトバランスの種類及び明るさの度合いに該当するプレビュー画像を表示する。
【００３８】
ステップＳ１０８は、彩度、コントラスト、輪郭強調の度合いのうち、少なくともいずれか一つの変更を受け付けたか否かを判定する処理である。変更を受け付けた場合（ステップＳ１０８の判定がＹＥＳとなる場合）には、ステップＳ１０９に進む。一方、変更を受け付けていない場合（ステップＳ１０８の判定がＮＯとなる場合）には、後述するステップＳ１１０に進む。
【００３９】
ステップＳ１０９は、擬似的に加工したプレビュー画像を表示する処理である。モニタコントローラ８は、モニタ９上のプレビュー画像の表示を変化させて、ステップＳ１０８で受け付けた変更後の彩度、コントラスト、輪郭強調の度合いに相当するプレビュー画像をモニタ９に表示する。
【００４０】
例えば、モニタコントローラ８は、モニタコントローラ８内に出力色成分（例えば、ＲＧＢ）ごとに設けられたガンマ調整手段（一般的には抵抗が用いられる）を使って階調特性を調整することで、彩度及びコントラストを調整する。彩度の度合いを調整する場合は、出力色成分ごとのガンマ特性を調整度合いに応じた異なる調整量で個別に調整することで、色成分の比率を変える。コントラストの度合いを調整する場合は、出力色成分ごとのガンマ特性を調整度合いに応じた一律の調整量で調整する。
【００４１】
また、輪郭強調度合いの調整は、モニタコントローラ８内に積分回路を付加することで実現可能である。輪郭強調の度合いを調整する場合は、調整度合いに応じて積分により増幅する度合いを調整する。
【００４２】
すなわち、彩度、コントラスト、輪郭強調を調整する場合は、ホワイトバランス、明るさを調整する場合と比較して、表示変化が少ないため、擬似的にモニタ９上のプレビュー画像の変化を表示する。したがって、プレビュー画像生成時間を節約し、ユーザの待ち時間を短縮することができる。
【００４３】
ステップＳ１１０は、彩度、コントラスト、輪郭強調の度合いを決定する指示を受け付けたか否かを判定する処理である。決定する指示を受け付けた場合（ステップＳ１１０の判定がＹＥＳとなる場合）には、彩度、コントラスト、輪郭強調の度合いを現像パラメータとして設定し、ステップＳ１１１に進む。一方、決定する指示を受け付けていない場合（ステップＳ１１０の判定がＮＯとなる場合）には、ステップＳ１０８に戻る。
【００４４】
ステップＳ１１１は、現像処理である。画像処理部６は、ステップＳ１０６及びステップＳ１１０で設定された現像パラメータを用いて、ＲＡＷ画像データに現像処理を施す。
【００４５】
ステップＳ１１２は、現像処理後の画像を表示する処理である。
【００４６】
ステップＳ１１３は、現像処理後の画像を記録するか否かの選択を受け付ける処理である。記録する選択を受け付けた場合（ステップＳ１１３の判定がＹＥＳとなる場合）には、ステップＳ１１４に進む。一方、記録する選択を受け付けていない場合（ステップＳ１１３の判定がＮＯとなる場合）には、ステップＳ１０１に戻る。
【００４７】
ステップＳ１１４は、現像処理後の画像を記録する処理である。制御部７は、現像処理後の画像を記録媒体１３に記録し、一連の処理を終了する。なお、制御部７は、ＲＡＷ画像データを削除しても良いし、ＲＡＷ画像データを削除することなく、現像処理後の画像とともに記録しても良い。
【００４８】
以上説明したように、本実施形態の撮像装置１は、まず、表示変化が大きいホワイトバランス及び明るさを変更した複数のプレビュー画像を生成する。そして、ＳＴＡＧＥ１でホワイトバランス、明るさを調整する場合は、プレビュー画像の表示を切り換える。次に、ＳＴＡＧＥ２で表示変化が小さい彩度、コントラスト、輪郭強調を調整する場合は、モニタコントローラ８によりモニタ９上のプレビュー画像の表示を調整する。
【００４９】
したがって、本実施形態の撮像装置１によれば、ＲＡＷ画像データの現像パラメータを調整する際に、素早く調整効果を確認することができる。また、ＳＴＡＧＥ１とＳＴＡＧＥ２とにユーザが操作する段階を分けて、ＳＴＡＧＥ１に移行する前にプレビュー画像を生成することにより、待ち時間を意識させないようにすることができる。さらに、十字キー１６の上下左右の操作で各パラメータの設定が可能であるため、ユーザビリティを損なわない。
【００５０】
なお、上記の実施形態では、ＳＴＡＧＥ１に移行する前に、４９個のプレビュー画像を全て生成する例を示したが、これに限らない。上述したように、ＳＴＡＧＥ１に移行すると、モニタ９は、まず、プレビュー画像Ｐ４を表示し、その後、十字キー１６が操作される回数に応じて、プレビュー画像の表示を切り換える。そこで、画像処理部６は、プレビュー画像Ｐ４の表示後、次に表示される可能性が高い順にプレビュー画像を生成する。図６は、プレビュー画像を生成する順番を示す表である。図６では、ホワイトバランスがオート、明るさの度合いが０であるプレビュー画像を基準として、十字キー１６の上下左右の釦が押される回数に応じて、番号を付与している。
【００５１】
この場合、プレビュー画像Ｐ４が生成された時点でＳＴＡＧＥ１に移行しても良い。そして、ＳＴＡＧＥ１のバックグラウンドで、画像処理部６は、図６に示す順番にプレビュー画像を生成する。このように、優先順位を付けてプレビュー画像を生成することにより、現像の対象となる画像を選択してからＳＴＡＧＥ１に移行するまでの時間を短縮することができる。
【００５２】
また、プレビュー画像を生成する順番は、これに限らない。例えば、ホワイトバランスがオート、明るさの度合いが０であるプレビュー画像を基準として、ホワイトバランスを固定し、明るさの度合いを変更したプレビュー画像を生成しても良いし、明るさの度合いを固定し、ホワイトバランスを変更したプレビュー画像を生成しても良い。また、図６の表において、ホワイトバランスがオート、明るさの度合いが０であるブロックを基準として、周辺ブロックのホワイトバランス及び明るさのプレビュー画像を生成しても良い。
【００５３】
さらに、画像ファイルから撮像時に設定されたホワイトバランスの種類を読み出し、このホワイトバランスのプレビュー画像を優先的に生成しても良い。この場合、ＳＴＡＧＥ１のパラメータ入力画面におけるホワイトバランスの種類を示すバー２１の近くに、撮像時に設定されたホワイトバランスを示すカーソルなどを表示しても良い。
【００５４】
また、上記の実施形態では、ＳＴＡＧＥ１のパラメータ入力画面において、１枚のプレビュー画像を表示する例を示したが、複数のプレビュー画像を比較可能に表示しても良い。
【００５５】
また、ＳＴＡＧＥ２では、ＳＴＡＧＥ１と比較してプレビュー画像の表示が大きく変化しない。そのため、ＳＴＡＧＥ２で表示されるプレビュー画像の大きさは、ＳＴＡＧＥ１で表示されるプレビュー画像よりも小さくても良い。
【００５６】
また、ホワイトバランスの種類、明るさ、彩度、コントラスト、輪郭強調の度合いは、一例であり、限定されない。
【００５７】
また、上記の実施形態では、ＳＴＡＧＥ１とＳＴＡＧＥ２とに分ける例を示したが、ステージの数は、限定されない。
【００５８】
上記の実施形態では、撮像装置１の例を挙げて説明したが、これに限らない。例えば、図１に示した以外の構成を有する撮像装置にも本発明を同様に適用することができる。また、撮像装置により取得した画像を再生可能なフォトフレームなどの画像処理装置にも本発明を適用することができる。
【００５９】
また、画像処理部６又は制御部７が行った処理の一部を、コンピュータで実現する構成としても良い。この場合、コンピュータに画像処理部６又は制御部７が行った処理（図２のステップＳ１０１からステップ１０６まで）の一部又は全部を実行するためのプログラムを記憶しておき、このプログラムにより、同様の処理を行うことで、上記の実施形態と同様の効果を得ることができる。
【符号の説明】
【００６０】
１…撮像装置、６…画像処理部、７…制御部、８…モニタコントローラ、９…モニタ、１６…十字キー
【図１】
0005407588.tif 000002
【図２】
0005407588.tif 000003
【図３】
0005407588.tif 000004
【図４】
0005407588.tif 000005
【図５】
0005407588.tif 000006
【図６】
0005407588.tif 000007